(57)【特許請求の範囲】
【請求項１】
ワイパーブレードと複数のタイプのワイパーアームとの連結に用いるキットであって、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアームを受容し、該少なくとも２つの異なるワイパーアームに連結される構造部を有する第２のコネクターと、
第３の種類のワイパーアームに含まれる少なくとも２つの異なるワイパーアームを受容し、該少なくとも２つの異なるワイパーアームに連結される構造部を有する第３のコネクターとを含み、
前記第１と、第２と、第３の種類は互いに異なっているキット。
【請求項２】
ワイパーブレードとワイパーアームとを連結するコネクターであって、
ワイパーブレードに取付けられるベース部と、
第１の軸を中心として回動可能となるように前記ベース部に取着され、前記第１の軸に対して垂直な方向に沿って長尺な受容部材と、を備え、
前記受容部材は、以下のものを有する構造部、すなわち、
該受容部材の長手軸に沿うように形成された第１のチャンネルと、
前記長手軸に沿うように形成され、前記第１のチャンネルに対して平行な第２のチャンネルと、を有する構造部を有し、
第１及び第２のチャンネルは前記ワイパーアームの先端をぴったりと受容し、
ロック用キャップを閉じる前に前記第１の軸に沿う方向に視線を向けて見たときに、前記第１のチャンネル及び前記第２のチャンネルを同時に視認可能であり、前記第２のチャンネルは、前記第１の軸と前記長手軸の両方に垂直な方向で、前記第１のチャンネルと前記ベース部との間に配置されているコネクター。
【請求項３】
ワイパーブレードと、
ワイパーアームと、
コネクターと、を備えたフロントガラスワイパーであって、
前記コネクターは、
前記ワイパーブレードに取付けられるベース部と、
第１の軸を中心として回動可能となるように前記ベース部に取着され、前記第１の軸に対して垂直な方向に沿って長尺な受容部材と、を備え、
前記受容部材は、以下のものを有する構造部、すなわち、
該受容部材の長手軸に沿うように形成された第１のチャンネルと、
前記長手軸に沿うように形成され、前記第１のチャンネルに対して平行な第２のチャンネルと、を有する構造部を有し、
前記ワイパーアームは、前記第１のチャンネル及び前記第２のチャンネルにぴったりと受けられ、
ロック用キャップを閉じる前に前記第１の軸に沿う方向に視線を向けて見たときに、前記第１のチャンネル及び前記第２のチャンネルを同時に視認可能であり、前記第２のチャンネルは、前記第１の軸と前記長手軸の両方に垂直な方向で、前記第１のチャンネルと前記ベース部との間に配置されているフロントガラスワイパー。
【請求項４】
ワイパーブレードとワイパーアームとを連結するコネクターであって、
ワイパーブレードに取付けられるベース部と、
第１の軸を中心として回動可能となるように前記ベース部に直接的に取着され、前記第１の軸に対して垂直な方向に沿って長尺な受容部材と、を備え、
前記受容部材は、その長手方向と前記第１の軸の両方に垂直な方向において、前記ベース部の上に配置され、
前記受容部材は、ただ１種類のワイパーアームを受容し、
前記受容部材は、
支持面と、
前記垂直方向において、前記支持面から離間して該支持面の一部に対向する可撓性係合片とを有し、
前記可撓性係合片と前記支持面との間には、ワイパーアームの先端をぴったりと受容するような寸法のスロットが形成され、該スロットは、前記第１の軸に沿う方向に視線を向けて見たときに前記長手方向に沿っており、前記第１の軸に沿う方向の両側部が開口しており、
前記可撓性係合片は、
第１の側方支持部と、
前記第１の軸に沿う方向において、前記第１の側方支持部から離間する第２の側方支持部と、
前記第１及び第２の側方支持部の間に配置された係合舌片と、を含み、
前記係合舌片の一方の端部が、前記第１の側方支持部及び前記第２の側方支持部の双方に取付けられており、該係合舌片の反対側の端部が、自由であるとともに、前記支持面に向かって突出する突出部を有しているコネクター。
【請求項５】
ワイパーブレードと複数のタイプのワイパーアームとの連結に用いるキットであって、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアーム及び第３の種類のワイパーアームに含まれる少なくとも２つの異なるワイパーアームを受けて、これらのワイパーアームに連結される構造部を有する第２のコネクターとを含み、
前記第１と、第２と、第３の種類は互いに異なっているキット。
【請求項６】
ワイパーブレードとワイパーアームとを連結するコネクターであって、
ワイパーブレードに取付けられるベース部と、
前記ベース部に回動可能に取着される受容部材と、を備え、
前記受容部材は２種類のワイパーアームのみを受容し、
前記受容部材は、
該受容部材を前記ベース部に回動可能に取着する取付部と、
第１の種類のワイパーアームを受容する開口がそれぞれ形成され、互いに対向する両側壁と、
該開口に隣接して配置され、前記第１の種類のワイパーアームが前記開口に受容されるとき、前記第１の種類のワイパーアームに係合し、該受容部材が前記ベース部に対して回動することを防止する、回動停止部と、
支持面と、
前記支持面から離間して該支持面の一部に対向する可撓性係合片と、を有し、
前記可撓性係合片と前記支持面との間には、第２の種類のワイパーアームの先端をぴったりと受容するような寸法のスロットが形成され、
前記可撓性係合片は、
第１の側方支持部と、
前記第１の側方支持部から離間する第２の側方支持部と、
前記第１及び第２の側方支持部の間に配置された係合舌片と、を含み、
前記係合舌片の一方の端部が、前記第１の側方支持部及び前記第２の側方支持部の双方に取付けられており、該係合舌片の反対側の端部が、自由であるとともに、前記支持面に向かって突出する突出部を有しているコネクター。
【請求項７】
ワイパーブレードと、
ワイパーアームと、
前記ワイパーアームに取付けられるコネクターと、を備えたフロントガラスワイパーであって、
前記コネクターは、
前記ワイパーブレードに取付けられるベース部と、
前記ベース部に回動可能に取着される受容部材と、を備え、
前記受容部材は２種類のワイパーアームのみを受容し、
前記受容部材は、
該受容部材を前記ベース部に回動可能に取着する取付部と、
第１の種類のワイパーアームを受容する開口がそれぞれ形成され、互いに対向する両側壁と、
該開口に隣接して配置され、前記第１の種類のワイパーアームが前記開口に受容されるとき、前記第１の種類のワイパーアームに係合し、前記受容部材が前記ベース部に対して回動することを防止する、回動停止部と、
支持面と、
前記支持面から離間して該支持面の一部に対向する可撓性係合片と、を有し、
前記可撓性係合片と前記支持面との間には、第２の種類のワイパーアームの先端をぴったりと受容するような寸法のスロットが形成され、
前記可撓性係合片は、
第１の側方支持部と、
前記第１の側方支持部から離間する第２の側方支持部と、
前記第１及び第２の側方支持部の間に配置された係合舌片と、を含み、
前記係合舌片の一方の端部が、前記第１の側方支持部及び前記第２の側方支持部の双方に取付けられており、該係合舌片の反対側の端部が、自由であるとともに、前記支持面に向かって突出する突出部を有しているフロントガラスワイパー。
【発明の詳細な説明】
【技術分野】
【０００１】
本発明は、フロントガラスワイパーブレードを複数のタイプのフロントガラスワイパーアームに取付けるコネクターに関する。また、本発明は、上述したコネクターを含むキットに関する。
【背景技術】
【０００２】
自動車には、ワイパーブレードを動かす様々なワイパーアームが用いられている。ワイパーブレードは定期的に交換する必要があり、ワイパーブレードの潜在的購入者は、店に陳列されているワイパーブレードから自身の自動車のワイパーアームに取付け可能なものを特定するのにしばしば苦労する。従来、この状況への対処法は、消費者が消費者自身の自動車のワイパーアームと適切なコネクターとを組み合わせることができるように、多種類のコネクターを別個のパッケージにして提供するか、或いは、ワイパーブレードそのものと一緒に多種類のコネクターを提供することであった。消費者は、該当のワイパーアームに取付けるべきコネクターを簡単には確定し難いことが多い。さらに、コネクターは複数のピースとなっている場合が多いが、このようなピースは紛失しやすい可能性がある。また、消費者のワイパーアームへの取付けに不適切なコネクターが購入される状況も発生し得る。
【発明の概要】
【０００３】
本発明の第１の態様は、ワイパーブレードと複数のタイプのワイパーアームとの連結に用いるキットに関する。該キットは、容器と、前記容器の内部に配置される一組のコネクターとを備える。前記一組のコネクターは、第１の種類のワイパーアームに含まれる少なくとも２つの異なるワイパーアームを受容し、該少なくとも２つの異なるワイパーアームに連結される構造部を有する第１のコネクターを含む。前記一組のコネクターは、第２の種類のワイパーアームに含まれる少なくとも２つの異なるワイパーアームを受容し、該少なくとも２つの異なるワイパーアームに連結される構造部を有する第２のコネクターを含む。前記一組のコネクターは、第３の種類のワイパーアームに含まれる少なくとも２つの異なるワイパーアームを受容し、該少なくとも２つの異なるワイパーアームに連結される構造部を有する第３のコネクターを含む。前記第１の種類と、前記第２の種類と、前記第３の種類とは互いに異なる。
【０００４】
本発明の第２の態様は、ワイパーブレードとワイパーアームとを連結するコネクターに関する。該コネクターは、ワイパーブレードに取付けられるベース部と、前記ベース部に取着された受容部材とを備える。前記受容部材は、以下のものを有する構造部、すなわち、該受容部材の長手軸に沿って延びる第１のチャンネルと、前記長手軸に沿って延びる第２のチャンネルであって、該第２のチャンネルは、前記第１のチャンネルに対して平行な第２のチャンネルとを有する構造部を有する。また、前記長手軸に対して垂直の方向に沿って見たときに、前記第１のチャンネル及び前記第２のチャンネルを同時に視認可能である。
【０００５】
本発明の第３の態様は、ワイパーブレードと、ワイパーアームと、コネクターとを備えるフロントガラスワイパーに関する。前記コネクターは、前記ワイパーブレードに取付けられるベース部と、前記ベース部に取着された受容部材とを備える。前記受容部材は構造部を含み、該構造部は、該受容部材の長手軸に沿って延びる第１のチャンネルと、前記長手軸に沿って延びる第２のチャンネルであって、該第２のチャンネルは前記第１のチャンネルに対して平行な第２のチャンネルとを有する構造部を有する。前記ワイパーアームは、前記第１のチャンネル及び前記第２のチャンネルにぴったりと受けられる。また、前記ワイパーアームを前記第１のチャンネル及び前記第２のチャンネルにぴったりと受容する前は、前記長手軸に対して垂直の方向に沿って見たときに、前記第１のチャンネル及び前記第２のチャンネルを同時に視認可能である。
【０００６】
本発明の第４の態様は、ワイパーブレードとワイパーアームとを連結するコネクターに関する。該コネクターは、ワイパーブレードに取付けられるベース部と、前記ベース部に取着された受容部材とを備える。前記受容部材は、ただ１種類のワイパーブレードに取付けられる構造部を有し、前記受容部材は、支持面と、前記支持面から離間して該支持面に対面する係合面とを有する。前記可撓性係合面と前記支持面とは、ワイパーアームの表面をぴったりと受容するような寸法のスロットを有している。前記係合面は、第１の側方支持部と、前記第１の側方支持部に対面する第２の側方支持部と、係合舌片とを含む。該係合舌片の一方の端部が、前記第１の側方支持部及び前記第２の側方支持部の双方に取付けられており、該係合舌片の反対側の端部が、自由であるとともに、前記支持面に対面する突出部を有する。
【０００７】
本発明の第５の態様は、ワイパーブレードと複数のタイプのワイパーアームとの連結に用いるキットに関する。該キットは、容器と、前記容器の内部に配置される一組のコネクターとを備える。前記一組のコネクターは、第１の種類のワイパーアームに含まれる少なくとも２つの異なるワイパーアームを受容し、該少なくとも２つの異なるワイパーアームに連結される構造部を有する第１のコネクターを含む。前記一組のコネクターは、第２の種類のワイパーアームに含まれる少なくとも２つの異なるワイパーアーム及び第３の種類のワイパーアームに含まれる少なくとも２つの異なるワイパーアームを受けて、これらのワイパーアームに連結される構造部を有する第２のコネクターを更に含む。前記第１の種類と、前記第２の種類と、前記第３の種類とは、互いに異なる。
【０００８】
本発明の第６の態様は、ワイパーブレードとワイパーアームとを連結するコネクターに関する。該コネクターは、ワイパーブレードに取付けられるベース部と、前記ベース部に回動可能に取着される受容部材とを備え、前記受容部材は、２種類のワイパーアームのみを受容する。前記受容部材は、該受容部材を前記ベース部に回動可能に取着する取付部と、第１のワイパーアームを受容する穴と、前記穴に隣接して配置される回動停止部であって、前記第１のワイパーアームが前記穴に受容されるとき、該回動停止部は、前記第１のワイパーアームに係合し、該受容部材が前記ベース部に対して回動することを防止する、回動停止部とを有する。前記受容部材は、互いに対面し互いに接近するように押圧可能となっている一対の可撓性翼状停止部を含む、支持面を更に有する。前記受容部材は、前記支持面から離間して該支持面に対面する係合面を更に有し、前記可撓性係合面と前記支持面とは、第２のワイパーアームの表面をぴったりと受容するような寸法のスロットを有している。前記係合面は、第１の側方支持部と、前記第１の側方支持部に対面する第２の側方支持部と、係合舌片とを含む。該係合舌片の一方の端部が、前記第１の側方支持部及び前記第２の側方支持部の双方に取付けられており、該係合舌片の反対側の端部が、自由であるとともに、前記支持面に対面する突出部を有する。
【０００９】
本発明の第７の態様は、ワイパーブレードと、ワイパーアームと、前記ワイパーアームに取付けられるコネクターとを備えるフロントガラスワイパーに関する。前記コネクターは、前記ワイパーブレードに取付けられるベース部と、前記ベース部に回動可能に取着される受容部材とを備え、前記受容部材は、２種類のワイパーアームのみを受容する。前記受容部材は、該受容部材を前記ベース部に回動可能に取着する取付部と、第１のワイパーアームを受容する穴と、前記穴に隣接して配置される回動停止部であって、前記第１のワイパーアームが前記穴に受容されると、該回動停止部は、前記第１のワイパーアームに係合し、該受容部材が前記ベース部に対して回動することを防止する、回動停止部とを有する。前記受容部材は、互いに対面し互いに接近するように押圧可能となっている一対の可撓性翼状停止部を含む、支持面を更に有する。前記受容部材は、前記支持面から離間して該支持面に対面する係合面を更に有し、前記可撓性係合面と前記支持面とは、第２のワイパーアームの表面をぴったりと受容するような寸法のスロットを有している。前記係合面は、第１の側方支持部と、前記第１の側方支持部に対面する第２の側方支持部と、係合舌片とを含む。該係合舌片の一方の端部が、前記第１の側方支持部及び前記第２の側方支持部の双方に取付けられており、該係合舌片の反対側の端部が、自由であるとともに、前記支持面に対面する突出部を有する。本発明の１つ又は複数の態様は、多種類のコネクターを備え、個々のワイパーアームに接続すべきコネクターを判断しやすくなっているキットを提供することの利点を提供する。
【００１０】
本発明の１つ又は複数の態様は、単一片構成のコネクターを用いて、ワイパーブレードを複数のワイパーアームに取付け可能にするという利点を提供する。
【００１１】
本明細書に援用されるとともに本明細書の一部をなす添付図面は、上記の概要及び下記の詳細な説明とともに、本発明の特徴部を説明する役目を果たす。
【図面の簡単な説明】
【００１２】
【図１Ａ】フロントガラスワイパーブレードを複数のタイプのフロントガラスワイパーアームに取付けるコネクターの一実施形態の、開位置における斜視図である。
【図１Ｂ】図１Ａのコネクターの、閉位置における斜視図である。
【図１Ｃ】図１Ａのコネクターの分解図である。
【図１Ｄ】一実施形態のＪ字フックワイパーアームを受けている場合の、図１Ａのコネクターの斜視図である。
【図１Ｅ】図１Ｂのコネクターの断面図である。
【図２】図１Ｂのコネクターの左側面図である。
【図３】図１Ｂのコネクターの右側面図である。
【図４】図１Ｂのコネクターの上面図である。
【図５】図１Ｂのコネクターの底面図である。
【図６】図１Ｂのコネクターの正面図である。
【図７】図１Ｂのコネクターの背面図である。
【図８Ａ】フロントガラスワイパーブレードを複数のタイプのフロントガラスワイパーアームに取付けるコネクターの第２の実施形態の斜視図である。
【図８Ｂ】図８Ａのコネクターの分解図である。
【図８Ｃ】Ｉ＆Ｌワイパーアームを受けている場合の、図８Ａのコネクターの斜視図である。
【図９】図８Ａのコネクターの左側面図である。
【図１０】図８Ａのコネクターの右側面図である。
【図１１】図８Ａのコネクターの上面図である。
【図１２】図８Ａのコネクターの底面図である。
【図１３】図８Ａのコネクターの正面図である。
【図１４】図８Ａのコネクターの背面図である。
【図１５Ａ】フロントガラスワイパーブレードを複数のタイプのフロントガラスワイパーアームに取付けるコネクターの第３の実施形態の、開位置における斜視図である。
【図１５Ｂ】図１５Ａのコネクターの、閉位置における斜視図である。
【図１５Ｃ】図１５Ａのコネクターの分解図である。
【図１５Ｄ】図１５Ｂのコネクターの断面図である。
【図１６】図１５Ｂのコネクターの左側面図である。
【図１７】図１５Ｂのコネクターの右側面図である。
【図１８】図１５Ｂのコネクターの上面図である。
【図１９】図１５Ｂのコネクターの底面図である。
【図２０】図１５Ｂのコネクターの正面図である。
【図２１】図１５Ｂのコネクターの背面図である。
【図２２Ａ】図１〜図２１のコネクターのうちの１つに取付けられるワイパーアームの一種類を示す図である。
【図２２Ｂ】図１〜図２１のコネクターのうちの１つに取付けられるワイパーアームの一種類を示す図である。
【図２２Ｃ】図１〜図２１のコネクターのうちの１つに取付けられるワイパーアームの一種類を示す図である。
【図２３Ａ】図２２Ａのワイパーアームを図１〜図２１のコネクターに取付けるプロセスを示す概略図である。
【図２３Ｂ】図２２Ｂのワイパーアームを図１〜図２１のコネクターに取付けるプロセスを示す概略図である。
【図２３Ｃ】図２２Ｂのワイパーアームを図１〜図２１のコネクターに取付けるプロセスを示す概略図である。
【図２３Ｄ】図２２Ｃのワイパーアームを図１〜図２１のコネクターに取付けるプロセスを示す概略図である。
【図２４】図１〜図２１、図２５〜図３１のコネクターのうちの１つ又は複数を備えるキットを示す概略図である。
【図２５Ａ】本発明に係るコネクターの第４の実施形態の斜視図である。
【図２５Ｂ】図２５Ａのコネクターの分解図である。
【図２６】図２５Ａのコネクターの左側面図である。
【図２７】図２５Ａのコネクターの右側面図である。
【図２８】図２５Ａのコネクターの上面図である。
【図２９】図２５Ａのコネクターの底面図である。
【図３０】図２５Ａのコネクターの正面図である。
【図３１】図２５Ａのコネクターの背面図である。
【発明を実施するための形態】
【００１３】
図１Ａ〜図１Ｅ、図２〜図７は、ワイパーブレードと複数のタイプのワイパーアームとを連結するコネクター１００を示している。コネクター１００は、コネクター１００をワイパーブレードに取付けるのに用いるベース部１０２を備える。詳細には、ベース部１０２の下側には、ワイパーブレードの中央部に位置するブラケットに係合する可撓性フィンガーがある。コネクター１００が取付けられるワイパーブレードの一候補例は、Latitudeという商品名で販売されている（ITW Global BrandsによるRain-Xという商標名で流通している）ワイパーブレードである。ベース部１０２は、ADM21 Co., LTD.社、Anco社、Bosch社、Corea Autoparts Producing Corp.社、KCW Corporation社、Proline社、Trico社、及びValeo社によって製造されているワイパーブレード等の、他のタイプのワイパーブレードに取付けることができるように改変可能であることに留意されたい。
【００１４】
コネクター１００は、ベース部１０２の上部に回動可能に取着される受容部材１０４を備える。詳細には、受容部材１０４は、互いに対向する一対の孔１０５を有する。孔１０５は、ベース部１０２の中央隆起部に形成されているピン１０７（図１Ｃを参照）を受容する。こうして、受容部材１０２はピンの回りに回動可能である。
【００１５】
以下で説明するように、受容部材１０４は、少なくとも２つの異なるワイパーアームを受容し、該少なくとも２つの異なるワイパーアームに連結される構造部を有する。少なくとも２つの異なるワイパーアームは、ただ１種類のワイパーアームに属するように形成される。詳細には、受容部材１０４は、図２２Ａ（１）、２２Ａ（２）に示すようなＪ字フックワイパーアーム１３２と、Ｊ字フックワイパーアーム１３４との２つの部分に取付けられる構造部を有する。図２２Ａ（１）、２２Ａ（２）に示すように、Ｊ字フックワイパーアーム１３２と、Ｊ字フックワイパーアーム１３４とは、サイズが異なる。取付けを達成するには、ロック用キャップすなわちロック用カバー１０６を図１Ａに示すような開位置に回動する。ロック用キャップ１０６の回動は、ロック用キャップ１０６の下端部にある、互いに対向する一対の開口（図示せず）によって達成される。受容部材１０４の前方下部に形成されているピン１０９を、前述したロック用キャップ１０６の開口に挿入する。それにより、ロック用キャップ１０６は、ピンと整合する軸の回りで、図１Ａに示す開位置から図１Ｂに示す閉位置に回動する。
【００１６】
ロック用キャップ１０６が開位置にあると、Ｊ字フックワイパーアームを、受容部材１０４を介してコネクター１００に取付けることができる。比較的小型のＪ字フックワイパー１３２を受容部材１０４に取付けるのに備えて、受容部材１０４は、以下のものを有する構造部、すなわち、１）受容部材の長手軸１１０に沿って延びる第１のチャンネル１０８と、２）長手軸１１０に沿って延びる第２のチャンネル１１２と、３）長手軸１１０に沿って延びる第３のチャンネル１１４とを有する構造部を有する。図１Ａに示すように、第１のチャンネル１０８は、第２のチャンネル１１２及び第３のチャンネル１１４のそれぞれに対して平行である。また、ロック用キャップ１０６が開位置まで完全に回動すると、長手軸１１０に対して垂直の方向１１６に沿って見たときに、使用者がチャンネル１０８、１１２、１１４のそれぞれを同時に視認することができる。ロック用キャップ１０６が図１Ｂに示す閉位置に回動すると、使用者はチャンネル１０８、１１２、１１４を視認可能でない。
【００１７】
図１Ａ、１Ｃに示すように、受容部材１０４は、側壁１１８と、側壁１１８に取付けられ、方向１１６に延びる湾曲端壁１２０とを有する。受容部材１０４は、端壁１２０及び側壁１１８に取付けられる底壁１２２を有する。また、受容部材１０４は、側壁１１８に取付けられる仕切り１２４を有する。側壁１１８と、端壁１２０と、底壁１２２と、仕切り１２４とは、第１のチャンネル１０８と、第２のチャンネル１１２と、第３のチャンネル１１４とを少なくとも部分的に形成している。仕切り１２４の場合、仕切り１２４は、側壁１１８から方向１１６に延びる、第１の面１２６と、第２の面１２８と、第３の面１３０とを有する。図１Ａ、１Ｃに示すように、第１の面１２６と側壁１１８とは、第１のチャンネル１０８を少なくとも部分的に形成している。さらに、第２の面１２８と、第３の面１３０と、側壁１１８と、端壁１２０とは、第２のチャンネル１１２を少なくとも部分的に形成している。同様に、第３の面１３０と、側壁１１８と、端壁１２０と、底壁１２２とは、第３のチャンネル１１４を形成している。図１Ａ、１Ｃに示すように、受容部材１０４の上記構造部は、第１のチャンネル１０８、第２のチャンネル１１２、及び第３のチャンネル１１４のそれぞれが、方向１１６において測定したとき略１ｃｍ等の標準的なＪ字フックワイパーアームの幅を有するようになっている。
【００１８】
小型Ｊ字フックワイパーアーム１３２をコネクター１００に取付けることは、まずロック用キャップ１０６を図２３Ａ（１）に示すような開位置に回動することによって達成される。この時点において、第１のチャンネル１０８及び第２のチャンネル１１２は、視認可能に露呈している。図２３Ａ（２）に示すように、ワイパーアーム１３２の長い方の部分を第１のチャンネル１０８に十分に挿入するとともに、ワイパーアーム１３２の湾曲した短い方の部分を第２のチャンネル１１２に十分に滑り込ませることにより、小型Ｊ字フックワイパーアーム１３２をコネクター１００の側部に滑り込ませる。この段階において、ロック用キャップ１０６を下方に回動させ、それにより、ロック用カバー１０６の凹部が、受容部材１０６に形成されているロック用突出部に係合する。ロック用キャップ１０６を閉位置にスナップさせることで、Ｊ字フックワイパーアーム１３２が適所にロックされたことを使用者に知らせる。
【００１９】
大型Ｊ字フックワイパーアーム１３４をコネクター１００に取付けることは、小型Ｊ字フックワイパーアーム１３２に関して上記で説明したのと同じように達成される。詳細には、ロック用キャップ１０６を図２３Ａ（１）に示すような開位置に回動させる。この時点において、第１のチャンネル１０８及び第３のチャンネル１１４は、視認可能に露呈している。図２３Ａ（２）に示すように、ワイパーアーム１３４の長い方の部分を第１のチャンネル１０８に十分に挿入するとともに、ワイパーアーム１３４の湾曲した短い方の部分を第３のチャンネル１１４に十分に滑り込ませることにより、大型Ｊ字フックワイパーアーム１３４をコネクター１００の側部に滑り込ませる。この段階において、ロック用キャップ１０６を下方に回動させ、それにより、ロック用カバー１０６の凹部が、受容部材１０４に形成されているロック用突出部に係合する。ロック用キャップ１０６を閉位置にスナップさせることで、Ｊ字フックワイパーアーム１３４が適所にロックされたことを使用者に知らせる。
【００２０】
Ｊ字フックワイパーアーム１３２、１３４のサイズ差異及び異なるＪ字フックワイパーアームの一般的なサイズバリエーションのために、受容部材１０４は、いくつかの補償構造部を有する。例えば、１つの補償構造部は、概ねロック用キャップ１０６に向かう長手方向に沿って動く端壁１２０であり、この端壁１２０が、比較的大きいサイズのワイパーアーム１３４に対応することを可能にする。別の補償構造部は、仕切り１２４の面１２６、１２８に関するものであり、これらの面１２６、１２８が、様々なサイズのＪ字フックワイパーアームの挿入を可能にするばねとして機能する。また、上述した補償構造部は、受容部材１０４とＪ字フックワイパーアームとのぴったりした嵌合を促進することに留意されたい。
【００２１】
図８Ａ〜図８Ｃ、図９〜図１４は、ワイパーブレードと複数のタイプのワイパーアームとを連結するコネクター２００を示している。コネクター２００は、コネクター２００をワイパーブレードに取付けるのに用いるベース部２０２を備える。詳細には、ベース部２０２の下側には、ワイパーブレードの中央部に位置するブラケットに係合する可撓性フィンガーがある。コネクター２００が取付けられるワイパーブレードの一候補例は、Latitudeという商品名で販売されている（ITW Global BrandsによるRain-Xという商標下で流通している）ワイパーブレードである。ベース部２０２は、ADM21 Co., LTD.社、Anco社、Bosch社、Corea Autoparts Producing Corp.社、KCW Corporation社、Proline社、Trico社、及びValeo社によって製造されているワイパーブレード等の、他のタイプのワイパーブレードに取付けることができるように改変可能であることに留意されたい。
【００２２】
コネクター２００は、ベース部２０２の上部に回動可能に取着される受容部材２０４を備える。詳細には、受容部材２０４は、互いに対向する一対の孔２０５（図８Ｃの透視図を参照）を有する。孔２０５は、ベース部２０２の中央隆起部に形成されているピン２０７（図８Ｂ、８Ｃを参照）を受容する。したがって、受容部材２０４は、ピン２０７の回りに回動可能である。
【００２３】
以下で説明するように、受容部材２０４は、少なくとも２つの異なるチャンネル型ワイパーアームを受容し、該少なくとも２つの異なるチャンネル型ワイパーアームに連結される構造部を有する。少なくとも２つの異なるチャンネル型ワイパーアームは、ただ１種類のワイパーアーム、すなわち単一種類のチャンネルワイパーアームに属するように規定される。そのような単一種類のチャンネルワイパーアームの例は、プッシュタブボタン（ＰＴＢ）ワイパーアーム及びインサートアンドロック（Ｉ＆Ｌ）ワイパーアームである。上記に関して、受容部材２０４は、ＰＴＢワイパーアーム２３４（図２２Ｂ（１）を参照）又はＩ＆Ｌワイパーアーム２３２（図２２Ｂ（２）を参照）の何れかの２つの部分に取付けられる構造部を有する。
【００２４】
ＰＴＢワイパーアーム２３４の場合、ワイパーアーム２３４全体をスロット２４０（図８Ａ、２３Ｂ（１）を参照）と位置合わせする。スロット２４０は、受容部材２０４の支持面２４２と、支持面２４２から離間して該支持面２４２に対面する係合面２４４との間の空間によって形成される。スロット２４０は、図８Ａ、２３Ｂ（２）に示すように、スロット２４０に挿入されるＰＴＢワイパーアーム２３４の位置合わせされた遠位端部の上面２１０をぴったりと受容するような寸法である。図８Ａに示すように、係合面２４４は、第１の側方支持部２４６と、第１の側方支持部２４６に対面する第２の側方支持部２４８とを含む。係合面２４４は係合舌片２５０を更に含む。係合舌片２５０の一方の端部２５２が、側方支持部２４６、２４８の双方に取付けられており、係合舌片２５０の反対側の端部２５４が、自由であるとともに、係合舌片２５０の下面において支持面２４２に対面する突出部２５５を有する。第１の側方支持部２４６及び第２の側方支持部２４８は係合舌片２５０とは独立して動き、また、係合舌片２５０は第１の側方支持部２４６及び第２の側方支持部２４８とは独立して動く。
【００２５】
ＰＴＢワイパーアーム２３４の上面２１０がスロット２４０に挿入されると、ＰＴＢワイパーアーム２３４を、係合舌片２５０の下面にある突出部がＰＴＢワイパーアーム２３４の上面２１０の矩形開口２１２にスナップ係合するまで、受容部材２０４の前端部２０６に向かってスロット２４０に更に押し込む。突出部２５５が開口２１２に挿通されたスナップ音が聞こえた場合、それは、ＰＴＢワイパーアーム２３４がコネクター２００に取付けられたことを示す。ＰＴＢワイパーアーム２３４の挿入中、アーム２３４の側方フランジ２１４が受容部材２０４の支持面２４２の下縁２５６に係合することに留意されたい。また、ロック位置では、ＰＴＢワイパーアーム２３４の肩部２１６が、互いに対面する一対の可撓性翼状停止部２５８によって、前端部２０６から離れる方向に大幅に動かないように捕捉される。可撓性翼状停止部２５８は、スロット２４０の長手軸に対して垂直の方向に沿って互いに接近するように押圧可能となっている。
【００２６】
適所にロックされているＰＴＢワイパーアーム２３４の取外しは、係合舌片２５０の上面にある解除ノッチ２６０を上方に回動させることによって達成される。このような回動により、係合舌片２５０の下面にある突出部２５５が開口２１２から外れる。したがって、可撓性翼状停止部１５８を互いに接近するように押圧すると、ＰＴＢワイパーアーム２３４をスロット２４０から引き抜くことができる。
【００２７】
図８Ｃ、２３Ｃに示すように、Ｉ＆Ｌワイパーアーム２３２をコネクター２００に取付けることは、まず、ワイパーアーム２３２の遠位端部がスロット２４０と支持面２４２の側壁間に形成されたチャンネルとに挿入されるように、ワイパーアーム２３２の遠位端部を傾けて位置合わせすることによって達成される。このように傾けることは、Ｉ＆Ｌワイパーアーム２３２の湾曲部の前縁をスロット２４０に妨げなく挿入することができるようにするのに必要である。スロット２４０とチャンネルとは互いに隣り合って互いに流体連通し、チャンネルがスロット２４０よりもコネクター２００の前端部２０６に近い位置にあることに留意されたい。湾曲部をスロット２４０に挿入すると、Ｉ＆Ｌワイパーアーム２３２を下方に回動し、Ｉ＆Ｌワイパーアーム２３２の上面を、図２３Ｃ（２）に示すように前端部２０６に向かってスロット２４０に押し込む。肩部２２０が翼状停止部２５８の上面に乗り上げて肩部２２０が翼状停止部２５８を通過するまで、ワイパーアーム２３２を押し続ける。図８Ｃ、２３Ｃ（３）に示すように、この時点で、翼状停止部２５８が肩部２２０の背後にスナップ係合し、それによりＩ＆Ｌワイパーアーム２３２がスロット２４０から外れることが防止される。また、この時点において、湾曲部がチャンネルに進入し、湾曲部の形状に対して相補的な形状である肩部に係合する。翼状停止部２５８が挿入されたスナップ音が聞こえた場合、それは、Ｉ＆Ｌワイパーアーム２３２がコネクター２００に取付けられたことを示す。
【００２８】
適所にロックされているＩ＆Ｌワイパーアーム２３２の取外しは、翼状停止部２５８を互いに向かって締め付け、肩部２２０が翼状停止部２５８を越えて前端部２０６から離れるように動くことを可能にすることによって達成される。この構成により、Ｉ＆Ｌワイパーアーム２３２をスロット２４０から取り外すことができる。
【００２９】
図１５Ａ〜図１５Ｄ、図１６〜図２１は、ワイパーブレードと複数のタイプのワイパーアームとを連結するコネクター３００を示している。コネクター３００は、コネクター３００をワイパーブレードに取付けるのに用いるベース部３０２を備える。詳細には、ベース部３０２の下側には、ワイパーブレードの中央部に位置するブラケットに係合する可撓性フィンガーがある。コネクター３００が取付けられるワイパーブレードの一候補例は、Latitudeという商品名で販売されている（ITW Global BrandsによるRain-Xという商標下で流通している）ワイパーブレードである。ベース部１０２は、ADM21 Co., LTD.社、Anco社、Bosch社、Corea Autoparts Producing Corp.社、KCW Corporation社、Proline社、Trico社、及びValeo社によって製造されているワイパーブレード等の、他のタイプのワイパーブレードに取付けることができるように改変可能であることに留意されたい。
【００３０】
コネクター３００は、受容部材３０４がベース部３０２に対して回動可能でないようにベース部３０２の上部に取付けられる受容部材３０４を備える。詳細には、受容部材３０４は、互いに対向する一対の孔３０５を有する。孔３０５は、ベース部３０２の中央隆起部に形成されているピン３０７を受容する。受容部材３０４の側壁３０８、３１０は、側壁の底部がベース部３０２の上面に略接触する程度まで下方に延びていることに留意されたい。このように側壁３０８の底部とベース部３０２の上面とが近接していることで、受容部材３０４がベース部３０２に対して回動することが本質的に防止される。代替的な実施形態において、ベース部３０２と受容部材３０４とは、互いに一体に取付けてもよいことに留意されたい。
【００３１】
以下で説明するように、受容部材３０４は、少なくとも２つの異なるピンワイパーアームを受容し、該少なくとも２つの異なるピンワイパーアームに連結される構造部を有する。少なくとも２つの異なるピンワイパーアームは、ただ１種類のワイパーアームに属するように規定される。詳細には、受容部材３０４は、図２２Ｃ（１）、２２Ｃ（２）に示すようなピンワイパーアーム３３２とピンワイパーアーム３３４との２つの部分に取付けられる構造部を有する。図２２Ａ（１）、２２Ａ（２）に示すように、ピンワイパーアーム３３２とピンワイパーアーム３３４とは、サイズが異なる。取付けを達成するには、ロック用キャップすなわちロック用カバー３０６を図１５Ａに示すような開位置に回動する。ロック用キャップ３０６の回動は、ロック用キャップ３０６の下端部にある、互いに対向する一対の開口（図示せず）によって達成される。受容部材３０４の対向する側壁３０８、３１０の前方下部に形成されているピン３０９を、前述したロック用キャップ３０６の開口に挿入する。それにより、ロック用キャップ３０６は、ピンと整合する軸の回りで、図１５Ａに示す開位置から図１５Ｂに示す閉位置に回動する。
【００３２】
ロック用キャップ３０６が開位置にあると、ピンワイパーアームを、受容部材３０４を介してコネクター３００に取付けることができる。比較的小型のピンワイパーアーム３３２を受容部材３０４に取付けるのに備えて、受容部材３０４は、側壁３０８にある一対の穴、すなわち開口３１２、３１４と、側壁３１０に形成された同一サイズの対向する穴、すなわち開口３１６、３１８とを有する。穴３１２及び穴３１６は、小型ピンワイパーアーム３３２の遠位部の直径に対応するような直径を有する。同様に、穴３１４、３１８は、大型ピンワイパーアーム３３４の遠位部の直径に対応するような直径を有する。
【００３３】
大型ピンワイパーアーム３３４の取付けも、小型ピンワイパーアーム３３２の取付けも、同じように達成される。大型ピンワイパーアーム３３４を取付ける場合、遠位端部３６０を、図２３Ｄ（２）に示すように穴３１４と位置合わせする。次に、遠位端部３６０が穴３１８内に受け入れられて側壁３１０の外側を僅かに越えて延出するまで、遠位端部３６０を穴３１４に挿通する。この時点において、ロック用キャップ３０６を図１５Ｂの閉位置に回動させる。この場合、ロック用キャップ３０６の側方凹部（図示せず）が、側壁３０８、３１０に形成されている側方突出部３２２に係合する。側方突出部３２２が凹部内に係合することで、図２３Ｄ（３）に示すスナップ音が発生する。これは、ピンワイパーアームがコネクター３００に取付けられた状態にロックされたことを示す。閉位置において、Ｃ字凹部すなわちＣ字面３２４が、ピンワイパーアーム３３４の中間部３６２に係合し、全体としてピンを穴３１４、３１８の縁に押し付けることに留意されたい。Ｃ字凹部すなわちＣ字面３２４は、中間部３６２の形状に対応する形状を有することが好ましい。同様に、穴３１２、３１６に挿通することによって小型ピンワイパーアーム３３２を取付ける場合、ロック用キャップ３０６が閉じると、比較的小さいＣ字面３２６がピンワイパーアーム３３２の中間部に係合する。ピンワイパーアーム３３２、３３４の取外しは、ロック用キャップ３０６を図１５Ａの開位置に動かすとともに、ピンワイパーアーム３３２、３３４の遠位端部を対応する穴３１４、３１８、３１２、３１６から引き抜くことによって達成される。
【００３４】
ピンワイパーアーム３３２、３３４の遠位端部は、まず側壁３０８の穴又は他方の側壁３１０の穴に挿通することができることに留意されたい。上記に関して、受容部材３０４は、穴３１４、３１８及び側壁３０８、３１０から離れるように延びるＣ字カラー３２８を含み、大型ピンワイパーアーム３３４の遠位端部３６０が、受容部材３０４に十分に挿入された場合に穴３１４、３１８及び側壁３０８、３１０の外側を過度に越えて延出することを防止するようになっていることに留意されたい。上述したコネクター１００、２００、３００を念頭に置き、ワイパーブレードと複数のタイプのワイパーアームとを連結するのに有用なキット４００を開発することができる。詳細には、キット４００は、図２４に示すように、前述したコネクター１００、２００、３００のそれぞれ１つを内部に含む容器４０２を備える。キットは、ITW Global BrandsによるRain-Xという商標下で流通しているワイパーブレード等の、１つ又は複数のワイパーブレード４０４も備えることができる。備えているワイパーブレード（複数の場合もある）のタイプに応じて、好適なベース部１０２、２０２、３０２をコネクター１００、２００、３００の受容部材１０４、２０４、３０４に組み合わせる（associated）。容器４０２の形状は、本発明の趣旨から逸脱することなく変えることができる。例えば、各コネクター及びワイパーブレード（複数の場合もある）用の別個の区画が存在することができる。ワイパーブレード（複数の場合もある）用の別個の区画及びコネクター１００、２００、３００の全てが収容される別個の区画が存在することができる。別個の区画は、ワイパーブレード用フィルム、並びに様々なコネクターをワイパーブレード及びワイパーアームに連結する方法の説明書等の、他のフロントガラスワイパーアイテムも収容することができる。容器の他の候補例は、本願と同日出願された、「PACKAGING AND KIT FOR WINDSHIELD WIPERS AND WINDSHIELD WIPER ACCESSORIES」という名称の係属中の米国特許出願（代理人整理番号１４６５６／８、顧客参照番号ＩＴＷ６１９６９）に記載されている。上記米国特許出願の内容全体は、引用することにより本明細書の一部をなす。
【００３５】
キットの別の変形形態において、キットは、Ｊ字フックワイパーアームの種類に専用である前述した図１〜図７のコネクター１００を収容する容器４０２を備える。また、キットは、２種類のワイパーアーム、すなわちチャンネル型ワイパーアーム及びピン型ワイパーアームに専用である複合型コネクター５００を含む容器４０２を備える。複合型コネクター５００は、これらの２種類から各種類につき２タイプのワイパーアームを連結することが可能である。したがって、コネクター１００と複合型コネクター５００とを備えるキットは、３種類のワイパーアームであって６タイプのワイパーアームを連結することが可能である。また、キットは、ワイパーブレード用フィルム、並びに様々なコネクターをワイパーブレード及びワイパーアームに連結する方法の説明書等の、他のフロントガラスワイパーアイテムを収容することができる。
【００３６】
図２５〜図３１は、ワイパーブレードと複数のタイプのワイパーアームとを連結するコネクター５００を示している。コネクター５００は、コネクター５００をワイパーブレードに取付けるのに用いるベース部５０２を備える。詳細には、ベース部５０２の下側には、ワイパーブレードの中央部に位置するブラケットに係合する可撓性フィンガーがある。コネクター５００が取付けられるワイパーブレードの一候補例は、Latitudeという商品名で販売されている（ITW Global BrandsによるRain-Xという商標下で流通している）ワイパーブレードである。ベース部５０２は、ADM21 Co., LTD.社、Anco社、Bosch社、Corea Autoparts Producing Corp.社、KCW Corporation社、Proline社、Trico社、及びValeo社によって製造されているワイパーブレード等の、他のタイプのワイパーブレードに取付けることができるように改変可能であることに留意されたい。
【００３７】
コネクター５００は、受容部材２０４の特徴部及び受容部材３０４の特徴部の多くを組み合わせて含む、受容部材５０４を備える。詳細には、受容部材５０４は、ベース部５０２の上部に回動可能に取着される。詳細には、受容部材５０４は、互いに対向する一対の孔（図示せず）を有する。孔は、ベース部５０２の中央隆起部に形成されているピン５０７（図２５Ｂを参照）を受容する。したがって、受容部材５０４は、ピン５０７の回りに回動可能である。
【００３８】
以下で説明するように、受容部材５０４は、ＰＴＢワイパーアーム２３４（図２２Ｂ（１）を参照）及びＩ＆Ｌワイパーアーム２３２（図２２Ｂ（２）を参照）等の少なくとも２つの異なるチャンネル型ワイパーアームを受容し、該少なくとも２つの異なるチャンネル型ワイパーアームに連結される構造部を有する。
【００３９】
ＰＴＢワイパーアーム２３４の場合、ワイパーアーム２３４全体が、受容部材５０４の支持面５４２と、支持面５４２から離間して支持面５４２に対面する係合面５４４との間の空間によって形成されるスロット５４０と位置合わせされる。スロット５４０は、スロット５４０に挿入されているＰＴＢワイパーアーム２３４の位置合わせされた遠位端部の上面２１０をぴったりと受容するような寸法である。図２５Ａ、２５Ｂ並びに図２８に示すように、係合面５４４は、第１の側方支持部５４６と、第１の側方支持部５４６に対面する第２の側方支持部５４８とを含む。係合面５４４は、係合舌片５５０を更に含む。係合舌片５５０の一方の端部５５２が、側方支持部５４６、５４８の双方に取付けられており、係合舌片５５０の反対側の端部５５４が、自由であるとともに、係合舌片５５０の下面において支持面５４２に対面する突出部５５５を有する。第１の側方支持部５４６及び第２の側方支持部５４８は係合舌片５５０とは独立して動き、また、係合舌片５５０は第１の側方支持部５４６及び第２の側方支持部５４８とは独立して動く。
【００４０】
ＰＴＢワイパーアーム２３４の上面２１０がスロット５４０に挿入されると、ＰＴＢワイパーアーム２３４は、係合舌片５５０の下面にある突出部がＰＴＢワイパーアーム２３４の上面２１０の矩形開口２１２にスナップ係合するまで、受容部材５０４のロック用キャップ５０６に向かってスロット５４０に更に押し込まれる。突出部５５５が開口２１２に挿通されたスナップ音が聞こえた場合、それは、ＰＴＢワイパーアーム２３４がコネクター５００に取付けられたことを示す。ＰＴＢワイパーアーム２３４の挿入中、アーム２３４の側方フランジ２１４が支持面５４２の下縁５５６に係合することに留意されたい。また、ロック位置では、ＰＴＢワイパーアーム２３４の肩部２１６が、互いに対面する一対の可撓性翼状停止部５５８によって、ロック用キャップ５０６から離れる方向に大幅に動かないように捕捉される。可撓性翼状停止部５５８は、スロット５４０の長手軸に対して垂直の方向に沿って互いに接近するように押圧可能となっている。
【００４１】
適所にロックされているＰＴＢワイパーアーム２３４の取外しは、係合舌片５５０の上面にある解除ノッチ５６０を上方に回動させることによって達成される。このような回動により、係合舌片５５０の下面にある突出部が開口２１２から外れる。またそれにより、可撓性翼状停止部５５８を互いに接近するように押圧すると、ＰＴＢアーム２３４をスロット５４０から引き抜くことができる。
【００４２】
Ｉ＆Ｌワイパーアーム２３２をコネクター５００に取付けることは、まず、ワイパーアーム２３２の遠位端部がスロット５４０と支持面５４２の側壁間に形成されたチャンネルとに挿入されるように、ワイパーアーム２３２の遠位端部を傾けて位置合わせすることによって達成される。このように傾けることは、Ｉ＆Ｌワイパーアーム２３２の湾曲部の前縁をスロット５４０に妨げなく挿入することができるようにするのに必要である。スロット５４０とチャンネルとは互いに隣り合って互いに流体連通し、チャンネルがスロット５４０よりもコネクター５００のロック用キャップ５０６に近い位置にあることに留意されたい。湾曲部をスロット５４０に挿入すると、Ｉ＆Ｌワイパーアーム２３２は下方に回動し、Ｉ＆Ｌワイパーアーム２３２の上面が、ロック用カバー５０６に向かってスロット５４０に押し込まれる。肩部２２０が翼状停止部５５８の上面に乗り上げて肩部２２０が翼状停止部５５８を通過するまで、ワイパーアーム２３２を押し続ける。この時点で、翼状停止部５５８が肩部２２０の背後にスナップ係合し、それによりＩ＆Ｌワイパーアーム２３２がスロット５４０から外れることが防止される。また、この時点において、湾曲部がチャンネルに進入し、湾曲部の形状に対して相補的な形状である肩部に係合する。翼状停止部５５８が挿入されたスナップ音が聞こえた場合、それは、Ｉ＆Ｌワイパーアーム２３２がコネクター５００に取付けられたことを示す。
【００４３】
適所にロックされているＩ＆Ｌワイパーアーム２３２の取外しは、翼状停止部５５８を互いに向かって締め付け、肩部２２０が翼状停止部５５８を越えてロック用カバー５０６から離れるように動くことを可能にすることによって達成される。この構成により、Ｉ＆Ｌワイパーアーム２３２をスロット５４０から取り外すことができる。
【００４４】
図２５Ａ、２５Ｂに示すように、受容部材５０４は、２つの異なるサイズのピンワイパーアームを受容し、該２つの異なるサイズのピンワイパーアームに連結される構造部を有する。例えば、受容部材５０４は、図２２Ｃ（１）、２２Ｃ（２）に示すようなピンアーム型ワイパーアーム３３２、３３４に取付けることができる。このような取付けを行うには、ロック用キャップすなわちロック用カバー５０６を開位置に回動する。ロック用キャップ５０６の回動は、ロック用キャップ５０６の下端部にある、互いに対向する一対のピン（図示せず）によって達成される。これらのピンを、受容部材５０４の対向する側壁５０８、５１０に形成されている対応する開口に挿入する。それにより、ロック用キャップ５０６は、ピンと整合する軸の回りで、開位置から図２５Ａ、図２６〜図３１に示す閉位置に回動する。
【００４５】
コネクター５００は、受容部材５０４とロック用キャップ５０６とが異なる回転軸の回りに回動するように記載されているが、受容部材５０４とロック用キャップ５０６とが共通の回転軸の回りに回動するようにコネクター５００を再構成することが可能であることに留意されたい。
【００４６】
ロック用キャップ５０６が開位置にあると、ピンワイパーアームを、受容部材５０４を介してコネクター５００に取付けることができる。コネクター５００は、小型ワイパーピン３３２及び大型ワイパーピン３３４等の、複数のサイズのピンアームに対応することができる。これは、一対の穴、すなわち開口５１２、５１４を側壁５０８に形成するとともに、同一サイズの対向する穴、すなわち開口５１６、５１８を側壁５１０に形成することにより、部分的に達成される。上側の穴５１２、５１６は、小型ピンワイパーアーム３３２の遠位部の直径に対応するような直径を有する。同様に、下側の穴５１４、５１８は、大型ピンワイパーアーム３３４の遠位部の直径に対応するような直径を有する。
【００４７】
大型ピンワイパーアーム３３４の取付けも、小型ピンワイパーアーム３３２の取付けも、同じように達成される。大型ピンワイパーアーム３３４を取付ける場合、遠位端部３６０を穴５１４と位置合わせする。次に、遠位端部３６０が穴５１８内に受け入れられて側壁５１０の外側を僅かに越えて延出するまで、遠位端部３６０を穴５１４に挿通する。この時点において、ロック用キャップ３０６を閉位置に回動させる。この場合、ロック用キャップ５０６の側方突出部５２０が、側壁５０８、５１０に形成されている凹部５２２に係合する。側方突出部５２０が凹部５１２内に係合することで、スナップ音が発生する。これは、ピンワイパーアームがコネクター５００に取付けられた状態にロックされたことを示す。閉位置において、Ｃ字凹部すなわちＣ字面５２４が、ピンワイパーアーム３３４の中間部３６２に係合し、全体としてピンを穴５１４、５１８の縁に押し付けることに留意されたい。Ｃ字凹部すなわちＣ字面５２４は、中間部３６２の形状に対応する形状を有することが好ましい。同様に、穴５１２、５１６に挿通することによって小型ピンワイパーアーム３３２を取付ける場合、ロック用キャップ５０６が閉じると、比較的小さいＣ字面５２６がピンワイパーアーム３３２の中間部に係合する。ピンワイパーアーム３３２の取外しは、ロック用キャップ５０６を開位置に動かすとともに、ピンワイパーアーム３３２の遠位端部を対応する穴５１４、５１６から引き抜くことによって達成される。
【００４８】
受容部材５０４は、穴５１４及び側壁５０８から離れるように延びるＣ字カラー５２８を含み、ワイパーアームの遠位端部が穴５１８及び側壁５１０の外側を過度に越えて延出することを防止するようになっていることに留意されたい。
【００４９】
前述したように、キャップ５０６を閉位置に動かすことで、ピンワイパーアームが適所にロックされる。ピンワイパーアーム３３２、３３４を受容部材５０４に挿入する間、ピンワイパーアーム３３２、３３４の遠位端部は、受容部材５０４の内側に位置する回動停止部５３０の凹部５３１又は凹部５３３の何れかに係合することに留意すべきである。このような係合は、ピンワイパーアームが穴５１２、５１６に挿入されるか、又は穴５１４、５１８に挿入されるかによって決まる。また、ピンワイパーアームが穴及び凹部に同時に係合することで、受容部材５０４がベース部５０２に対して回動することが防止される。
【００５０】
当業者には、本発明の広範な発明的概念から逸脱することなく、上述した実施形態に対して変更を行うことができることが理解される。したがって、本発明は開示された特定の実施形態に限定されず、添付の特許請求の範囲によって規定される本発明の趣旨及び範囲内での変更を包含することが意図されることが理解される。また、完全なコネクター１００、２００、３００、５００又はそれぞれのベース部１０２、２０２、３０２、５０２を有しないコネクター１００、２００、３００、５００の設計態様が可能である。
なお、本発明は以下の特徴を以って実施することができる。
［特徴１］
ワイパーブレードと複数のタイプのワイパーアームとの連結に用いるキットにおいて、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアームを受容し、該少なくとも２つの異なるワイパーアームに連結される構造部を有する第２のコネクターと、
第３の種類のワイパーアームに含まれる少なくとも２つの異なるワイパーアームを受容し、該少なくとも２つの異なるワイパーアームに連結される構造部を有する第３のコネクターとを含み、
前記第１と、第２と、第３の種類は互いに異なっているキット。
［特徴２］
前記キットは、前記容器の前記内部に配置され、前記第１のコネクター、前記第２のコネクター、及び前記第３のコネクターに取付け可能であるワイパーブレードを備える特徴１に記載のキット。
［特徴３］
前記第１のコネクター、前記第２のコネクター、及び前記第３のコネクターの各々は一体設計である特徴１に記載のキット。
［特徴４］
前記第１の種類はチャンネル型ワイパーアームである特徴１に記載のキット。
［特徴５］
前記第１のコネクターは、
ワイパーブレードに取付けられるベース部と、
前記ベース部に取着された受容部材とを備え、
前記受容部材は、
支持面と、
前記支持面から離間して該支持面に対面する係合面とを有し、
前記可撓性係合面と前記支持面とは、ワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が前記第１の側方支持部及び前記第２の側方支持部の双方に取付けられ、反対側の端部が、自由であるとともに前記支持面に対面する突出部を有している特徴４に記載のキット。
［特徴６］
前記第１の側方支持部及び前記第２の側方支持部は前記係合舌片とは独立して動き、該係合舌片は該第１の側方支持部及び該第２の側方支持部とは独立して動く特徴５に記載のキット。
［特徴７］
前記係合舌片は、前記突出部の反対側に位置する解除ノッチを有する特徴５に記載のキット。
［特徴８］
前記支持部は、一対の可撓性翼状停止部を更に含み、該一対の可撓性翼状停止部は、互いに対面し、前記スロットの長手軸に対して垂直の方向に沿って互いに接近するように押圧可能となっている特徴５に記載のキット。
［特徴９］
前記第１のコネクターの前記構造部は、少なくともＩ＆Ｌワイパーアーム及びＰＴＢワイパーアームを受けて、少なくとも該Ｉ＆Ｌワイパーアーム及び該ＰＴＢワイパーアームに連結することを可能にする特徴４に記載のキット。
［特徴１０］
前記第１の種類はＪ字フックワイパーアームである特徴１に記載のキット。
［特徴１１］
前記第１のコネクターは、
ワイパーブレードに取付けられるベース部と、
前記ベース部に取着された受容部材とを備え、
前記受容部材は、
該受容部材の長手軸に沿って延びる第１のチャンネルと、
前記長手軸に沿って延びる第２のチャンネルであって、該第２のチャンネルは前記第１のチャンネルに対して平行である第２のチャンネルとを有する構造部を有し、
前記長手軸に対して垂直の方向に沿って見たときに、前記第１のチャンネル及び前記第２のチャンネルを同時に視認可能である特徴１０に記載のキット。
［特徴１２］
前記長手軸に対して垂直の方向に沿って見たときに、前記第１のチャンネル及び前記第２のチャンネルを同時に視認可能である開位置から、前記第１のチャンネル及び前記第２のチャンネルを視認可能でない閉位置に回動可能に前記受容部材に取着されたロック用キャップを更に備える特徴１１に記載のキット。
［特徴１３］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りとを有し、
前記側壁と、前記端壁と、前記底壁と、前記仕切りとが前記第１と第２のチャンネルを形成する特徴１１に記載のキット。
［特徴１４］
前記端壁は、前記長手方向に沿って可動である自由端部を有する特徴１３に記載のキット。
［特徴１５］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面とを有する特徴１３に記載のキット。
［特徴１６］
前記第１のコネクターの前記構造部は、少なくとも第１のＪ字フックワイパーアーム及び該第１のＪ字フックワイパーアームよりもサイズが大きい第２のＪ字フックワイパーアームを受けて、少なくとも該第１のＪ字フックワイパーアーム及び該第２のＪ字フックワイパーアームに連結することを可能にする特徴１０に記載のキット。
［特徴１７］
前記第１の種類はピンワイパーアームである特徴１に記載のキット。
［特徴１８］
前記第１のコネクターは、
ワイパーブレードに取付けられるベース部と、
前記ベース部に取着された受容部材とを備え、
前記受容部材は、
該受容部材を前記ベース部に連結する取付部と、
ピンワイパーアームを受容する穴と、
凹部を有するキャップであって、該キャップは、開位置から閉位置に回動し、該閉位置において、前記凹部は前記穴に受容された前記ワイパーアームに係合するキャップとを有する特徴１７に記載のキット。
［特徴１９］
前記受容部材は、前記ワイパーアームとはサイズが異なる第２のワイパーアームを受容する第２の穴を有し、前記キャップは第２の凹部を有し、前記キャップが前記開位置から前記閉位置に回動すると、前記第２の凹部が前記第２の穴が受けている前記第２のワイパーアームに係合する特徴１８に記載のキット。
［特徴２０］
前記第１の種類はチャンネル型ワイパーアームであり、前記第２の種類はＪ字フックワイパーアームであり、前記第３の種類はピンワイパーアームである特徴１に記載のキット。
［特徴２１］
前記第１のコネクターは、
ワイパーブレードに取付けられる第１のベース部と、
前記第１のベース部に取付けられる第１の受容部材とを備え、
前記受容部材は、
支持面と、
前記支持面から離間して該支持面に対面する係合面とを有し、
前記可撓性係合面と前記支持面とは、ワイパーアームの表面をぴったりと受容するような寸法であるスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられ、該係合舌片の反対側の端部が、自由であるとともに、前記支持面に対面する突出部を有し、
前記第２のコネクターは、
ワイパーブレードに取付けられる第２のベース部と、
前記第２のベース部に取付けられる第２の受容部材とを備え、
前記第２の受容部材は、
該第２の受容部材の長手軸に沿って延びる第１のチャンネルと、
前記長手軸に沿って延びる第２のチャンネルであって、該第２のチャンネルは、前記第１のチャンネルに対して平行な第２のチャンネルとを有する構造部を有し、
前記長手軸に対して垂直の方向に沿って見たときに、前記第１のチャンネル及び前記第２のチャンネルを同時に視認可能であり、
前記第３のコネクターは、
ワイパーブレードに取付けられる第３のベース部と、
前記第３のベース部に取付けられる第３の受容部材とを備え、
前記第３の受容部材は、
該第３の受容部材を前記第３のベース部に連結する取付部と、
ピンワイパーアームを受容する穴と、
凹部を有するキャップであって、該キャップは、開位置から閉位置に回動し、該閉位置において、前記凹部は前記穴に受容された前記ワイパーアームに係合するキャップとを有する特徴１に記載のキット。
［特徴２２］
前記第１のコネクターの前記構造部は、少なくともＩ＆Ｌワイパーアーム及びＰＴＢワイパーを受けて、少なくとも該Ｉ＆Ｌワイパーアーム及び該ＰＴＢワイパーに連結することを可能にし、前記第２のコネクターの前記構造部は、少なくとも第１のＪ字フックワイパーアーム及び該第１のＪ字フックワイパーアームよりもサイズが大きい第２のＪ字フックワイパーアームを受けて、少なくとも該第１のＪ字フックワイパーアーム及び該第２のＪ字フックワイパーアームに連結することを可能にし、前記第３のコネクターの前記構造部は、少なくとも第１のピンワイパーアーム及び該第１のピンワイパーアームよりもサイズが大きい第２のピンワイパーアームを受けて、少なくとも該第１のピンワイパーアーム及び該第２のピンワイパーアームに連結することを可能にする特徴２０に記載のキット。
［特徴２３］
ワイパーブレードとワイパーアームとを連結するコネクターにおいて、
ワイパーブレードに取付けられるベース部と、
前記ベース部に取着された受容部材と、
を備え、前記受容部材は、以下のものを有する構造部、すなわち、
該受容部材の長手軸に沿って延びる第１のチャンネルと、
前記長手軸に沿って延びる第２のチャンネルであって、該第２のチャンネルは、前記第１のチャンネルに対して平行な第２のチャンネルと、
を有する構造部を有し、前記長手軸に対して垂直の方向に沿って見たときに、前記第１のチャンネル及び前記第２のチャンネルを同時に視認可能である、コネクター。
［特徴２４］
前記第１のチャンネル及び前記第２のチャンネルのそれぞれが、前記長手軸に対して垂直の方向において測定したとき略１ｃｍの幅を有する特徴２３に記載のコネクター。
［特徴２５］
前記受容部材に回動可能に取着されるロック用キャップであって、該ロック用キャップは、前記長手軸に対して垂直の方向に沿って見たときに、前記第１のチャンネル及び前記第２のチャンネルを同時に視認可能である開位置から、前記第１のチャンネル及び前記第２のチャンネルを視認可能でない閉位置に回動可能である、ロック用キャップを更に備える特徴２３に記載のコネクター。
［特徴２６］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１と第２のチャンネルを形成する特徴２３に記載のコネクター。
［特徴２７］
前記端壁は、前記長手方向に沿って可動である自由端部を有する特徴２６に記載のコネクター。
［特徴２８］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
を有する特徴２６に記載のコネクター。
［特徴２９］
前記受容部材は、前記長手軸に沿って延びる第３のチャンネルを有する構造部を有し、該第３のチャンネルは前記第１のチャンネルに対して平行であり、前記長手軸に対して垂直の方向に沿って見たときに、前記第１のチャンネル、前記第２のチャンネル、及び前記第３のチャンネルを同時に視認可能である特徴２３に記載のコネクター。
［特徴３０］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１のチャンネルと、前記第２のチャンネルと、前記第３のチャンネルとを形成する特徴２９に記載のコネクター。
［特徴３１］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
前記側壁から前記長手方向に対して垂直の方向に延びる第３の面であって、該第３の面と前記壁とが前記第３のチャンネルを少なくとも部分的に形成する第３の面と、
を有する特徴３０に記載のコネクター。
［特徴３２］
前記第１のチャンネル、前記第２のチャンネル、及び前記第３のチャンネルのそれぞれが、前記長手軸に対して垂直の方向において測定したとき略１ｃｍの幅を有する特徴２９に記載のコネクター。
［特徴３３］
フロントガラスワイパーにおいて、
ワイパーブレードと、
ワイパーアームと、
コネクターと、
を備え、前記コネクターは、
前記ワイパーブレードに取付けられるベース部と、
前記ベース部に取着された受容部材と、
を備え、前記受容部材は、以下のものを有する構造部、すなわち、
該受容部材の長手軸に沿って延びる第１のチャンネルと、
前記長手軸に沿って延びる第２のチャンネルであって、該第２のチャンネルは前記第１のチャンネルに対して平行な第２のチャンネルと、
を有する構造部を有し、前記ワイパーアームは、前記第１のチャンネル及び前記第２のチャンネルにぴったりと受けられ、前記ワイパーアームを前記第１のチャンネル及び前記第２のチャンネルにぴったりと受容する前は、前記長手軸に対して垂直の方向に沿って見たときに、前記第１のチャンネル及び前記第２のチャンネルを同時に視認可能である、フロントガラスワイパー。
［特徴３４］
前記ワイパーアームはＪ字フックワイパーアームである特徴３３に記載のフロントガラスワイパー。
［特徴３５］
前記第１のチャンネル及び前記第２のチャンネルのそれぞれが、前記長手軸に対して垂直の方向において測定したとき略１ｃｍの幅を有する特徴３３に記載のフロントガラスワイパー。
［特徴３６］
前記受容部材に回動可能に取着されるロック用キャップであって、該ロック用キャップは、前記第１のチャンネル及び前記第２のチャンネルにある前記ワイパーアームが視認可能である開位置から、前記第１のチャンネル及び前記第２のチャンネルを視認可能でない閉位置に回動可能である、ロック用キャップを更に備える特徴３３に記載のフロントガラスワイパー。
［特徴３７］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１と第２のチャンネルを形成する特徴３２に記載のフロントガラスワイパー。
［特徴３８］
前記端壁は、前記長手方向に沿って可動である自由端部を有する特徴３７に記載のフロントガラスワイパー。
［特徴３９］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
を有する特徴３７に記載のフロントガラスワイパー。
［特徴４０］
前記受容部材は、前記長手軸に沿って延びる第３のチャンネルを有する構造部を有し、該第３のチャンネルは前記第１のチャンネルに対して平行であり、前記長手軸に対して垂直の方向に沿って見たときに、前記第１のチャンネル、前記第２のチャンネル、及び前記第３のチャンネルを同時に視認可能である特徴３３に記載のフロントガラスワイパー。
［特徴４１］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１のチャンネルと、前記第２のチャンネルと、前記第３のチャンネルとを形成する特徴４０に記載のフロントガラスワイパー。
［特徴４２］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
前記側壁から前記長手方向に対して垂直の方向に延びる第３の面であって、該第３の面と前記壁とが前記第３のチャンネルを少なくとも部分的に形成する第３の面と、
を有する特徴４１に記載のフロントガラスワイパー。
［特徴４３］
前記第１のチャンネル、前記第２のチャンネル、及び前記第３のチャンネルのそれぞれが、前記長手軸に対して垂直の方向において測定したとき略１ｃｍの幅を有する特徴４０に記載のフロントガラスワイパー。
［特徴４４］
ワイパーブレードとワイパーアームとを連結するコネクターにおいて、
ワイパーブレードに取付けられるベース部と、
前記ベース部に取着された受容部材とを備え、
前記受容部材は、ただ１種類のワイパーブレードに取付けられる構造部を有し、
前記受容部材は、
支持面と、
前記支持面から離間して該支持面に対面する係合面とを有し、
前記可撓性係合面と前記支持面とは、ワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているコネクター。
［特徴４５］
前記第１の側方支持部及び前記第２の側方支持部は前記係合舌片とは独立して動き、該係合舌片は該第１の側方支持部及び該第２の側方支持部とは独立して動く特徴４４に記載のコネクター。
［特徴４６］
前記支持部は一対の可撓性翼状停止部を更に含み、該一対の可撓性翼状停止部は互いに対面し、前記スロットの長手軸に対して垂直の方向に沿って互いに接近するように押圧可能となっている特徴４４に記載のコネクター。
［特徴４７］
前記種類はチャンネルアーム型ワイパーアームである特徴４４に記載のコネクター。
［特徴４８］
ワイパーブレードと複数のタイプのワイパーアームとの連結に用いるキットにおいて、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアーム及び第３の種類のワイパーアームに含まれる少なくとも２つの異なるワイパーアームを受けて、これらのワイパーアームに連結される構造部を有する第２のコネクターとを含み、
前記第１と、第２と、第３の種類は互いに異なっているキット。
［特徴４９］
前記キットは、前記容器の前記内部に配置され、前記第１のコネクター及び前記第２のコネクターに取付け可能であるワイパーブレードを備える特徴４８に記載のキット。
［特徴５０］
前記第１のコネクター及び前記第２のコネクターの各々は一体設計である特徴４８に記載のキット。
［特徴５１］
前記第１の種類はＪ字フックワイパーアームである特徴４８に記載のキット。
［特徴５２］
前記第１のコネクターは、
ワイパーブレードに取付けられるベース部と、
前記ベース部に取着された受容部材とを備え、
前記受容部材は、
該受容部材の長手軸に沿って延びる第１のチャンネルと、
前記長手軸に沿って延びる第２のチャンネルであって、該第２のチャンネルは前記第１のチャンネルに対して平行な第２のチャンネルとを有する構造部を有し、
前記長手軸に対して垂直の方向に沿って見たときに、前記第１のチャンネル及び前記第２のチャンネルを同時に視認可能である特徴５１に記載のキット。
［特徴５３］
前記第２のコネクターの前記構造部は、少なくともＩ＆Ｌワイパーアーム、ＰＴＢワイパーアーム、及び２つのサイズのＪ字フックワイパーアームを受けて、少なくともこれらのワイパーアームに連結することを可能にする特徴４８に記載のキット。
［特徴５４］
前記第２のコネクターは、を備える特徴５３に記載のキット。
［特徴５５］
ワイパーブレードとワイパーアームとを連結するコネクターにおいて、
ワイパーブレードに取付けられるベース部と、
前記ベース部に回動可能に取着される受容部材とを備え、
前記受容部材は２種類のワイパーアームのみを受容し、
前記受容部材は、
該受容部材を前記ベース部に回動可能に取着する取付部と、
第１のワイパーアームを受容する穴と、
前記穴に隣接して配置される回動停止部であって、前記第１のワイパーアームが前記穴に受容されるとき、該回動停止部が前記第１のワイパーアームに係合し、該受容部材が前記ベース部に対して回動することを防止する回動停止部と、
互いに対面し、かつ、互いに接近するように押圧可能となっている一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているコネクター。
［特徴５６］
前記第１の側方支持部及び前記第２の側方支持部は前記係合舌片とは独立して動き、該係合舌片は該第１の側方支持部及び該第２の側方支持部とは独立して動く特徴５５に記載のコネクター。
［特徴５７］
前記係合舌片は、前記突出部の反対側に位置する解除ノッチを有する特徴５５に記載のコネクター。
［特徴５８］
前記一対の可撓性翼状停止部は、前記スロットの長手軸に対して垂直の方向に沿って互いに接近するように押圧可能となっている特徴５５に記載のコネクター。
［特徴５９］
前記回動停止部は前記ベース部と一体に形成されている特徴５５に記載のコネクター。
［特徴６０］
前記受容部材は、少なくとも４つの異なるワイパーアームを受容し、該少なくとも４つの異なるワイパーアームに連結される構造部を有する特徴５５に記載のコネクター。
［特徴６１］
前記少なくとも４つの異なるワイパーアームは、Ｉ＆Ｌワイパーアームと、ＰＴＢワイパーアームと、第１のピンワイパーアームと、第２のピンワイパーアームとである特徴６０に記載のコネクター。
［特徴６２］
前記受容部材は凹部を有するキャップを含み、該キャップは、開位置から閉位置に回動し、該閉位置において、前記凹部は前記穴に受容された前記ワイパーアームに係合する特徴５５に記載のコネクター。
［特徴６３］
前記受容部材はワイパーアームを受容する第２の穴を有し、前記受容部材は一対の凹部を有するキャップを含み、該キャップは開位置から閉位置に回動し、該閉位置において、前記凹部は前記穴又は前記第２の穴の何れかに受容された前記ワイパーアームに係合する特徴５５に記載のコネクター。
［特徴６４］
フロントガラスワイパーにおいて、
ワイパーブレードと、
ワイパーアームと、
前記ワイパーアームに取付けられるコネクターとを備え、
前記コネクターは、
前記ワイパーブレードに取付けられるベース部と、
前記ベース部に回動可能に取着される受容部材とを備え、
前記受容部材は２種類のワイパーアームのみを受容し、
前記受容部材は、
該受容部材を前記ベース部に回動可能に取着する取付部と、
第１のワイパーアームを受容する穴と、
前記穴に隣接して配置される回動停止部であって、前記第１のワイパーアームが前記穴に受容されると、該回動停止部は前記第１のワイパーアームに係合し、該受容部材が前記ベース部に対して回動することを防止する回動停止部と、
互いに対面し、かつ、互いに接近するように押圧可能となっている一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているフロントガラスワイパー。
［特徴６５］
前記第１の側方支持部及び前記第２の側方支持部は前記係合舌片とは独立して動き、該係合舌片は該第１の側方支持部及び該第２の側方支持部とは独立して動く特徴６４に記載のフロントガラスワイパー。
［特徴６６］
前記係合舌片は前記突出部の反対側に位置する解除ノッチを有する特徴６４に記載のフロントガラスワイパー。
［特徴６７］
前記一対の可撓性翼状停止部は、前記スロットの長手軸に対して垂直の方向に沿って互いに接近するように押圧可能となっている特徴６４に記載のフロントガラスワイパー。
［特徴６８］
前記回動停止部は前記ベース部と一体に形成されている特徴６４に記載のフロントガラスワイパー。
［特徴６９］
前記受容部材は少なくとも４つの異なるワイパーアームを受容し、該少なくとも４つの異なるワイパーアームに連結される構造部を有する特徴６４に記載のフロントガラスワイパー。
［特徴７０］
前記少なくとも４つの異なるワイパーアームは、Ｉ＆Ｌワイパーアームと、ＰＴＢワイパーアームと、第１のピンワイパーアームと、第２のピンワイパーアームとである特徴６９に記載のフロントガラスワイパー。
［特徴７１］
前記受容部材は凹部を有するキャップを含み、該キャップは、開位置から閉位置に回動し、該閉位置において、前記凹部は前記穴に受容された前記ワイパーアームに係合する特徴６４に記載のフロントガラスワイパー。
［特徴７２］
前記受容部材はワイパーアームを受容する第２の穴を有し、前記受容部材は一対の凹部を有するキャップを含み、該キャップは、開位置から閉位置に回動し、該閉位置において、前記凹部は、前記穴又は前記第２の穴の何れかに受容された前記ワイパーアームに係合する特徴６４に記載のフロントガラスワイパー。
【符号の説明】
【００５１】
１００    第１のコネクター
１０２    ベース部
１０４    受容部材
１０５    孔
１０６    ロック用キャップ
１０７    ピン
１０８    第１のチャンネル
１１０    長手軸
１１２    第２のチャンネル
１１４    第３のチャンネル
１１８    側壁
１２０    湾曲端壁
１２２    底壁
１２６    第１の面
１２８    第２の面
１３０    第３の面
１３２    ワイパーアーム
１３２    Ｊ字フックワイパーアーム
１３４    Ｊ字フックワイパーアーム
１５８    可撓性翼状停止部
２００    第２のコネクタ
２０２    ベース部
２０４    受容部材
２０５    孔
２０６    前端部
２０７    ピン
２１０    上面
２１２    矩形開口
２１４    側方フランジ
２１６    肩部
２２０    肩部
２３２    Ｉ＆Ｌワイパーアーム
２３４    ＰＴＢワイパーアーム
２４０    スロット
２４２    支持面
２４４    係合面
２４６    第１の側方支持部
２４８    第２の側方支持部
２５０    係合舌片
２５２    端部
２５４    端部
２５５    突出部
２５６    下縁
２５８    可撓性翼状停止部
２６０    解除ノッチ
３００    第３のコネクタ
３０２    ベース部
３０４    受容部材
３０５    孔
３０６    ロック用キャップ
３０７    ピン
３０８    側壁
３０９    ピン
３１０    側壁
３１２    穴
３１４    穴
３１６    穴
３１８    穴
３２２    側方突出部
３２４    Ｃ字面
３２６    Ｃ字面
３２８    字カラー
３３２    小型ワイパーピン
３３２    小型ピンアーム型ワイパーアーム
３３４    大型ピンアーム型ワイパーアーム
３６０    遠位端部
３６２    中間部
４００    キット
４０２    容器
４０４    ワイパーブレード
５００    複合型コネクター
５０２    ベース部
５０４    受容部材
５０６    ロック用カバー
５０７    ピン
５０８    側壁
５１０    側壁
５１２    開口
５１２    凹部
５１２    穴
５１４    穴
５１６    穴
５１８    穴
５２０    側方突出部
５２２    凹部
５２４    Ｃ字面
５２６    Ｃ字面
５２８    Ｃ字カラー
５３０    回動停止部
５３１    凹部
５３３    凹部
５４０    スロット
５４２    支持面
５４４    係合面
５４６    第１の側方支持部
５４８    第２の側方支持部
５５０    係合舌片
５５２    端部
５５４    端部
５５５    突出部
５５６    下縁
５５８    可撓性翼状停止部
５６０    解除ノッチ
【図１Ａ】
0006747967.tif 000002
【図１Ｂ】
0006747967.tif 000003
【図１Ｃ】
0006747967.tif 000004
【図１Ｄ】
0006747967.tif 000005
【図１Ｅ】
0006747967.tif 000006
【図２】
0006747967.tif 000007
【図３】
0006747967.tif 000008
【図４】
0006747967.tif 000009
【図５】
0006747967.tif 000010
【図６】
0006747967.tif 000011
【図７】
0006747967.tif 000012
【図８Ａ】
0006747967.tif 000013
【図８Ｂ】
0006747967.tif 000014
【図８Ｃ】
0006747967.tif 000015
【図９】
0006747967.tif 000016
【図１０】
0006747967.tif 000017
【図１１】
0006747967.tif 000018
【図１２】
0006747967.tif 000019
【図１３】
0006747967.tif 000020
【図１４】
0006747967.tif 000021
【図１５Ａ】
0006747967.tif 000022
【図１５Ｂ】
0006747967.tif 000023
【図１５Ｃ】
0006747967.tif 000024
【図１５Ｄ】
0006747967.tif 000025
【図１６】
0006747967.tif 000026
【図１７】
0006747967.tif 000027
【図１８】
0006747967.tif 000028
【図１９】
0006747967.tif 000029
【図２０】
0006747967.tif 000030
【図２１】
0006747967.tif 000031
【図２２Ａ】
0006747967.tif 000032
【図２２Ｂ】
0006747967.tif 000033
【図２２Ｃ】
0006747967.tif 000034
【図２３Ａ】
0006747967.tif 000035
【図２３Ｂ】
0006747967.tif 000036
【図２３Ｃ】
0006747967.tif 000037
【図２３Ｄ】
0006747967.tif 000038
【図２４】
0006747967.tif 000039
【図２５Ａ】
0006747967.tif 000040
【図２５Ｂ】
0006747967.tif 000041
【図２６】
0006747967.tif 000042
【図２７】
0006747967.tif 000043
【図２８】
0006747967.tif 000044
【図２９】
0006747967.tif 000045
【図３０】
0006747967.tif 000046
【図３１】
0006747967.tif 000047